(57)【要約】【課題】部品点数を増加することなく、安全に持ち運び可能とした電子機器及びこれを実現する筐体を提供する。【解決手段】電子機器１０の裏側筐体１１におけるサイドａ側及びサイドｂ側に近接した領域（電子機器１０を持ったときに、手１００の指先の特に第１関節から指先の腹の部分が自然と引っ掛かる位置）に各々すべり止め１ａ，１ｂを形成する。また、各すべり止め１ａ，１ｂを、サイドａ若しくはサイドｂに平行な直線の線状の突部を有して形成する。また、その高さを支持足１２以下とし、その本数を例えば２本として、裏面筐体１１に一体に形成する。【選択図】　　　　　図２
2004031829.tif 000002
【特許請求の範囲】
【請求項１】
携帯可能な電子機器において、
筐体の裏面であって当該筐体の側面に近接した領域に、当該筐体と一体形成されている１本以上の線状の突部を含んで成るすべり止めを有することを特徴とする電子機器。
【請求項２】
前記すべり止めを前記筐体の平行でない側面に近接した領域それぞれに有することを特徴とする請求項１記載の電子機器。
【請求項３】
前記線状の突部の高さは、前記筐体の裏面に設けられた支持足の高さ以下であることを特徴とする請求項１又は２記載の電子機器。
【請求項４】
前記線状の突部は、前記側面に平行な直線であることを特徴とする請求項１から３の何れか１項に記載の電子機器。
【請求項５】
前記線状の突部は、中央が前記側面から離れた弧状であることを特徴とする請求項１から３の何れか１項に記載の電子機器。
【請求項６】
前記筐体は、マグネシウム合金で形成されていることを特徴とする請求項１から５の何れか１項に記載の電子機器。
【請求項７】
携帯可能な電子機器の筐体において、
側面に近接した領域に１本以上の線状の突部を含んで成るすべり止めを有することを特徴とする筐体。
【請求項８】
前記すべり止めを前記筐体の平行でない側面に近接した領域それぞれに有することを特徴とする請求項５記載の筐体。
【請求項９】
前記線状の突部は、前記側面に平行な直線であることを特徴とする請求項７又は８記載の筐体。
【請求項１０】
前記線状の突部は、中央が前記側面から離れた弧状であることを特徴とする請求項７又は８記載の筐体。
【請求項１１】
マグネシウム合金で形成されていることを特徴とする請求項７から１０の何れか１項に記載の筐体。
【発明の詳細な説明】
【０００１】
【発明の属する技術分野】
本発明は、電子機器及びその筐体に関し、特に携帯可能な電子機器及びその筐体に関する。
【０００２】
【従来の技術】
近年、半導体チップの高集積化が実現され、多くの電子機器が携帯可能になってきた。しかしながら、電子機器は一般的に落下の衝撃に弱いため、持ち運びの際には注意を要する。
【０００３】
そこで持ち運びの際の落下を防止するために、従来の電子機器には例えば柄やゴム製のすべり止め等が取り付けられていた。
【０００４】
【発明が解決しようとする課題】
しかしながら、従来技術のように柄やゴム製のすべり止めを設ける場合、電子機器の部品点数が増加し、製造コストが増加するという問題が存在する。
【０００５】
そこで本発明は係る問題を解決すべく、部品点数を増加することなく、安全に持ち運び可能とした電子機器及びこれを実現する筐体を提供することを目的とする。
【０００６】
【課題を解決するための手段】
かかる目的を達成するために、本発明は、携帯可能な電子機器において、筐体の裏面であって当該筐体の側面に近接した領域に、当該筐体と一体形成されている１本以上の線状の突部を含んで成るすべり止めを有することを特徴とする。これにより、部品点数を増加することなく、安全に持ち運び可能とした電子機器を提供できる。
【０００７】
また、上記の構成において、例えば、前記すべり止めを前記筐体の平行でない側面に近接した領域それぞれに有する。これにより、電子機器の持ち方を自ずと限定することが可能となる。即ち、ユーザに自然な形で好ましい位置を持たせることが可能となる。
【０００８】
また、別の例として、前記線状の突部の高さが、前記筐体の裏面に設けられた支持足の高さ以下である。これにより、電子機器の裏面を下として机上等の平面に置いた際に支持足を有効に使用することが可能となる。
【０００９】
また、別の例として、前記線状の突部が、前記側面に平行な直線である。更に、別の例として、前記線状の突部が、中央が前記側面から離れた弧状である。更にまた、別の例として、前記筐体が、マグネシウム合金で形成されている。
【００１０】
また、本発明は、携帯可能な電子機器の筐体において、側面に近接した領域に１本以上の線状の突部を含んで成るすべり止めを有することを特徴とする。これにより、部品点数を増加することなく、安全に持ち運び可能とした電子機器を実現する筐体を提供できる。
【００１１】
また、上記の構成において、例えば、前記すべり止めを前記筐体の平行でない側面に近接した領域それぞれに有する。これにより、電子機器の持ち方を自ずと限定させる筐体を提供できる。即ち、ユーザに自然な形で好ましい位置を持たせることが可能な筐体を提供できる。
【００１２】
また、別の例として、前記線状の突部が、前記側面に平行な直線である。更に、別の例として、前記線状の突部が、中央が前記側面から離れた弧状である。更にまた、別の例として、マグネシウム合金で形成されている。
【００１３】
【発明の実施の形態】
以下、本発明の好適な実施形態について図面を用いて詳細に説明する。
【００１４】
〔第１の実施形態〕
図１は、本発明の第１の実施形態によるすべり止めが設けられる電子機器１０の一例を示す斜視図である。図１に示すように、本実施形態によるすべり止めは主として携帯可能な電子機器に適用されるものである。
【００１５】
また、図２に図１に示す電子機器１０の側面（図中、サイドａ側及びサイドｂ側）及び裏面の外観図を示す。
【００１６】
図２を参照すると、本実施形態による電子機器１０の裏側の筐体（以下、裏側筐体１１とする）には、図中、２つの側面（サイドａ側及びサイドｂ側）に近接した領域にすべり止め（１ａ，１ｂ）がそれぞれ形成されている。このように、２つのすべり止めを平行でない２つの側面に近接する領域にそれぞれ設けることで、本実施形態では、電子機器１０の持ち方を自ずと限定することが可能となる。即ち、本実施形態によれば、ユーザに自然な形で好ましい位置を持たせることが可能となる。尚、本実施形態は、すべり止めをボタンやつまみ等のユーザインタフェースが設けられていない側面に近接した領域に形成することで、携帯時に誤作動することが回避されるようにも変形することが可能となる。
【００１７】
このすべり止め１ａは、図３（ａ）に示すように、サイドａを下側として電子機器１０を持ったときに、手１００の指先（特に第１関節から指先の腹の部分）が自然と引っ掛かる位置（図３（ａ）中、引掛り部分１０１）に形成される。この目安はサイドａから略５〜１５ｃｍである。
【００１８】
更に、すべり止め１ｂも同様に、サイド（ｂ）を下側として電子機器１０を持った時に、手１００の指先（特に第１関節から指先の腹の部分）が自然と引っ掛かる位置（図３（ｂ）中、引掛り部分１０１）に形成される。この目安もサイドｂから略５〜１５ｃｍである。
【００１９】
このように、すべり止め１ａ，１ｂをユーザの指先が自然と引っ掛かる位置に設けることで、自然な形でユーザに電子機器１０を携帯させることが可能となる。
【００２０】
また、各すべり止め１ａ，１ｂは、図２に示すように、サイドａ若しくはサイドｂに平行な線状（本実施形態では直線状）の突部、即ち突条を有して形成される。これにより、ユーザがすべり止め１ａ，１ｂの何れの位置を持っても同じように指先が自然な形で引っ掛かるように構成される。尚、すべり止め１ａ，１ｂの長さは長い程よく、可能であればサイドａ若しくはサイドｂの長さと同等の長さとするとよい。
【００２１】
更に、すべり止め１ａ，１ｂの線状の突部は、２本若しくはそれ以上であると尚よい。これは、ユーザの指先に引っ掛かり安くするためであり、更に、引っ掛かる範囲により多くの幅を持たせるためである。
【００２２】
また、すべり止め１ａ，１ｂの高さは、図４に示すように、裏面筐体１１に設けられる支持足１２の高さ以下とする。これにより、電子機器１０の裏面を下として机上等の平面に置いた際に支持足１２を有効に使用することが可能となる。
【００２３】
尚、本実施形態において、すべり止め１ａ，１ｂは裏面筐体１１と一体に形成される。これにより、電子機器１０及びこれの筐体の部品手数の増加を防止することが可能となり、更に、電子機器１０（若しくはその筐体）の組み立ての際の手間を省くことが可能となる。
【００２４】
以上のように構成することで、本実施形態によれば、部品点数を増加することなく、安全に持ち運び可能とした電子機器及びこれを実現する筐体を提供することが可能となる。
【００２５】
但し、上記のように本実施形態では裏側の筐体と表側の筐体とを別々に形成した場合について説明したが、本発明はこれに限定されず、双方が一体に形成されても、左右若しくは上下に分割して形成されても、また、これ以外に分割されて形成されてもよい。
【００２６】
〔第２の実施形態〕
次に、本発明の別の例を第２の実施形態として以下に説明する。図５は、本実施形態による電子機器１０ａの裏面筐体１１ａの構成を示す外観図である。
【００２７】
本実施形態による裏面筐体１１ａに形成されるすべり止め１ｃ，１ｄは、第１の実施形態と異なり、線状の突部の中央付近が電子機器１０ａの側面（サイドａ又はサイドｂ）から離れる弧状に形成される。これは、ユーザの指の長さを考慮するためである。即ち、人間の指は中央に位置する中指が最も長く、中央から離れるに連れて短くなる。従って、通常中指が位置するすべり止め１ｃ，１ｄの中央付近を電子機器１０ａ（この筐体）の側面から離し、端に近づくに連れて側面に近接させることにより、すべり止め１ｃ，１ｄの指先へのフィットを高めることが可能となる。
【００２８】
尚、本実施形態では、例えばすべり止め１ｃ，１ｄの中央付近の側面（サイドａ，サイドｂ）からの距離を略１０〜１５ｍｍとし、端の側面（サイドａ，サイドｂ）からの距離を５〜１０ｍｍとする。また、他の構成は第１の実施形態と同様であるため、ここでは説明を省略する。
【００２９】
〔第３の実施形態〕
また、本発明では、上記の第１の実施形態で示した直線状の線状の突部を含んで成るすべり止め（１ａ若しくは１ｂ）と第２の実施形態で示した弧条の線状の突部を含んで成るすべり止め（１ｃ若しくは１ｄ）とを組み合わせて、図６のように裏面筐体１１ｂを形成してもよい。尚、これを第３の実施形態とする。また、他の構成は、第１の実施形態若しくは第２の実施形態と同様であるため、ここでは説明を省略する。
【００３０】
〔他の実施形態〕
また、例えば上記各実施形態では、すべり止め（１ａ，１ｂ，１ｃ，１ｄ）に含まれる線状の突部の本数が例として２本となっているが、これを例えば３本やそれ以上としてもよい。
【００３１】
このように、以上で説明した実施形態は本発明の好適な一実施形態にすぎず、本発明はその趣旨を逸脱しない限り種々変形して実施可能である。
【００３２】
【発明の効果】
以上説明したように、本発明によれば、部品点数を増加することなく、安全に持ち運び可能とした電子機器及びこれを実現する筐体を提供できる。
【００３３】
また、電子機器の持ち方を自ずと限定することも可能となる。即ち、ユーザに自然な形で好ましい位置を持たせることも可能となる。また、電子機器の裏面を下として机上等の平面に置いた際に支持足を有効に使用することも可能となる。
【図面の簡単な説明】
【図１】本発明の第１の実施形態による電子機器１０の構成を示す斜視図である。
【図２】図１に示す電子機器１０の裏側及びサイドａ側及びサイドｂ側の構成を示す外観図である。
【図３】図１に示す電子機器１０を携帯した際の構成を示す外観図であり、（ａ）はサイドａを下として携帯した際の構成を示し、（ｂ）はサイドｂを下として携帯した際の構成を示す。
【図４】図２に示すすべり止め１ａ，１ｂの高さと支持足１２の高さとの関係を示す外観図である。
【図５】本発明の第２の実施形態による電子機器１０ａの裏面の構成を示す外観図である。
【図６】本発明の第３の実施形態による電子機器１０ｂの裏面の構成を示す外観図である。
【符号の説明】
１ａ、１ｂ、１ｃ、１ｄ　すべり止め
１０、１０ａ、１０ｂ　電子機器
１１、１１ａ、１１ｂ　裏面筐体
１０１　引掛り部分
【図１】
2004031829.tif 000003
【図２】
2004031829.tif 000004
【図３】
2004031829.tif 000005
【図４】
2004031829.tif 000006
【図５】
2004031829.tif 000007
【図６】
2004031829.tif 000008